【手続補正書】
【提出日】令和1年10月2日(2019.10.2)
【手続補正１】
【補正対象書類名】特許請求の範囲
【補正対象項目名】全文
【補正方法】変更
【補正の内容】
【特許請求の範囲】
【請求項１】
ある個人（１）の視覚挙動の少なくとも１つのパラメータ（ＮＶＢ、ＥＶ、ＥＨ）を判断する方法において、
−  前記個人（１）に対して、その過程で自分が少なくとも１つの標的位置（３０）を観察するような視覚検査を実行するように要求するステップと、
−  前記視覚検査の過程で前記個人（１）の少なくとも１つの注視方向（ＤＲ）を代表する少なくとも１つのデータを測定するステップと、
−  測定された前記少なくとも１つの代表データに応じて、基準注視方向（ＤＲｍ）を判断するステップと、
−  前記個人（１）の頭部（４）に結び付けられた基準フレーム（Ｒｃｒｏ）内で、前記視覚検査の過程で測定された前記個人（１）の前記注視方向（ＤＲ）を代表する前記データに応じて、判断された少なくとも１つの測定標的位置（５０）を前記基準注視方向（ＤＲｍ）に関して位置決めするステップと、
を含む方法。
【請求項２】
前記位置決めするステップの後に、前記少なくとも１つの測定標的位置（５０）及び／又は前記基準注視方向（ＤＲｍ）に応じて、前記個人（１）の前記視覚挙動の前記パラメータ（ＮＶＢ、ＥＶ、ＥＨ）を推定するステップが実行される、請求項１に記載の方法。
【請求項３】
前記基準注視方向（ＤＲｍ）は、前記視覚検査の過程における前記個人（１）の平均注視方向である、請求項１又は２に記載の方法。
【請求項４】
前記基準注視方向（ＤＲｍ）は、前記個人が自然な姿勢であるときの遠方標的の観察方向に対応する、請求項１又は２に記載の方法。
【請求項５】
前記要求するステップにおいて、前記個人（１）は各種の標的位置（３０）を連続的に観察する、請求項１に記載の方法。
【請求項６】
−  前記個人（１）の前記注視方向（ＤＲ）は、前記視覚検査の過程で、前記個人（１）の前記頭部（４）に結び付けられた前記基準フレーム（Ｒｃｒｏ）内で判断され、
−  前記標的位置（３０）の座標は前記個人（１）の前記頭部（４）に結び付けられた前記基準フレーム（Ｒｃｒｏ）内で判断され、
−  前記基準注視方向（ＤＲｍ）は、前記個人（１）の左眼の回旋点（ＣＲＯＧ）もしくは右眼の回旋点（ＣＲＯ）、又は前記回旋点の重心（ＣＲＯｃ）を、前記個人（１）の前記頭部（４）に結び付けられた前記基準フレーム（Ｒｃｒｏ）内の標的位置（３０）に結合する直線として判断される、
請求項５に記載の方法。
【請求項７】
−  前記個人（１）の前記注視方向（ＤＲ）は、前記視覚検査の過程で、前記個人（１）の前記頭部（４）に結び付けられた前記基準フレーム（Ｒｃｒｏ）内で判断され、
−  前記標的位置（３０）の座標は、前記個人（１）の前記頭部（４）に結び付けられた前記基準フレーム（Ｒｃｒｏ）内で判断され、
−  前記個人（１）の前記頭部（４）に結び付けられた前記基準フレーム（Ｒｃｒｏ）内の前記標的位置（３０）の重心（ＮＶＢ）は、前記座標に基づいて判断され、
−  前記基準注視方向（ＤＲｍ）は、前記個人（１）の左眼回旋点（ＣＲＯＤ）もしくは右眼回旋点（ＣＲＯＧ）又は前記回旋点の重心（ＣＲＯｃ）を、前記個人（１）の前記頭部（４）に結び付けられた前記基準フレーム（Ｒｃｒｏ）内の前記標的位置（３０）の前記重心（ＮＶＢ）に結合する直線と定義される、
請求項５に記載の方法。
【請求項８】
前記基準注視方向（ＤＲｍ）に関して、相互に関する相対変位が前記標的位置（３０）の相対変位と同じである理論的標的位置（６０）を位置決めする追加のステップを含む、請求項５に記載の方法。
【請求項９】
前記測定するステップにおいて、
−  各標的位置（３０）を観察している前記個人（１）の前記頭部（４）の一部の少なくとも１つの画像が画像捕捉装置（１３）により捕捉され、
−  前記少なくとも１つの画像は、前記個人（１）により観察される前記標的位置（３０）の、前記画像捕捉装置（１３）に結び付けられた基準フレーム（ＲＳＣＲ）内で表現される座標に関連付けて保存され、
−  前記画像捕捉装置（１３）に結び付けられた前記基準フレーム（ＲＳＣＲ）内の前記個人（１）の前記頭部（４）に結び付けられた前記基準フレーム（ＲＣＲＯ）の前記座標又は前記個人（１）の前記頭部（４）に結び付けられた前記基準フレーム（ＲＣＲＯ）内の前記個人（１）の前記注視方向（ＤＲ）の前記座標は、前記少なくとも１つの捕捉された画像と前記観察された標的位置（３０）の、関連する座標に基づいて判断される、
請求項５又は８に記載の方法。
【請求項１０】
前記個人（１）の各注視方向（ＤＲ）は、一方で、前記個人（１）の右眼もしくは左眼の回旋点（ＣＲＯＤ、ＣＲＯＧ）又は前記回旋点の重心（ＣＲＯｃ）のうちの一方を通り、他方で、測定の瞬間に前記個人（１）が観察する前記標的位置（３０）を通る直線と定義される、請求項１に記載の方法。
【請求項１１】
前記個人（１）により実行される前記視覚検査は、文を読む状況における前記個人（１）の前記視覚挙動を検査することが意図された近方視での視覚的作業を含む、請求項１に記載の方法。
【請求項１２】
前記個人（１）により実行される前記視覚検査は、文を読む状況における前記個人（１）の前記視覚挙動を検査することが意図された近方視での視覚的作業を含み、前記標的位置（３０）は、実質的に平行な少なくとも２本の線（Ｌ１、Ｌ２、Ｌ３、Ｌ４、Ｌ５）又は２つの列に整列され、前記個人（１）により時間を追って連続的に観察される前記標的位置（３０）は、読書中の前記個人（１）の注視の変位を再現することが意図された視線追跡のためのプロトコルを定義する、請求項５に記載の方法。
【請求項１３】
請求項１に記載の判断する方法に従って判断された視覚挙動パラメータ（ＮＶＢ、ＥＶ、ＥＨ）を使って、ある個人の視力を矯正するための眼鏡レンズを設計する光学的方法。
【請求項１４】
視力矯正眼鏡レンズは、前記個人が選んだフレームの中に取り付けられることが意図され、前記視覚挙動パラメータ（ＮＶＢ、ＥＶ、ＥＨ）を判断する前記方法のうちの推定するステップ中に：
−  前記フレーム又は前記眼鏡レンズに関連付けられる面又は線の相対位置は、前記個人（１）の前記頭部（４）に結び付けられた前記基準フレーム（ＲＣＲＯ）内で判断され、
−  ある標的位置（３０）に対応する前記個人（１）の各注視方向（ＤＲ）に関して、この注視方向と前記面又は前記線との交点が判断されて、前記面又は前記線とこれらの交点のマップが作られ、
−  求められた光学設計パラメータはこのマップから推定される、
各サブステップが実行される、請求項１３に記載の光学設計方法。
【請求項１５】
請求項１に記載の前記方法を実行する検査機器（１０）において、
−  実質的に平行な少なくとも２本の線（Ｌ１、Ｌ２、Ｌ３、Ｌ４、Ｌ５）又は列に従って整列された複数の標的位置（３０）に少なくとも１つの視覚的に目立つ標的（２０）を表示するのに適したアクティブディスプレイ（１１）と、
−  前記標的位置（３０）が、読書中の前記個人（１）の注視の変位を再現するような視覚追跡プロトコルを、時間を追って定義するようにプログラムされている、前記ディスプレイ（１１）のための制御ユニットと、
−  前記制御ユニットにより前記ディスプレイ（１１）と同期して駆動されて、前記ディスプレイ（１１）により表示される前記標的（２０）を観察している前記個人（１）の前記頭部（４）の画像の捕捉をトリガし、各捕捉画像が所定の標的位置（３０）に対応するような画像捕捉装置（３）と、
を含む検査機器（１０）。